(57)【特許請求の範囲】
【請求項１】
船舶に備えられ、バラスト水を貯蔵するバラストタンクと、
前記バラストタンクに流入されたバラスト水に含まれている海洋生物を殺菌する殺菌物質を発生させるバラスト水処理装置と、
前記バラストタンクから排出されるバラスト水を前記船舶の船体表面に噴射する噴射装置と、
前記船舶で発生された汚水を膜濾過して浄水する膜濾過装置と、
前記バラスト水処理装置で発生された殺菌物質を前記膜濾過装置へ供給する供給管と、
を含むバラスト水を用いた防汚システム。
【請求項２】
前記バラストタンクから排出されるバラスト水に含まれた殺菌物質の濃度を低下させる中和装置をさらに含む請求項１に記載のバラスト水を用いた防汚システム。
【請求項３】
前記バラストタンクに流入されたバラスト水に含まれている海洋生物を濾過する濾過装置をさらに含む請求項１または請求項２に記載のバラスト水を用いた防汚システム。
【請求項４】
前記バラスト水処理装置で発生された殺菌物質を前記濾過装置へ供給する供給管をさらに含む請求項３に記載のバラスト水を用いた防汚システム。
【請求項５】
船舶に備えられ、バラスト水を貯蔵するバラストタンクと、
前記バラストタンクに流入されたバラスト水に含まれている海洋生物を殺菌する殺菌物質を発生させるバラスト水処理装置と、
前記バラストタンクから排出されるバラスト水を前記船舶の船体表面に噴射する噴射装置と、
を備え、
前記噴射装置は、
前記バラストタンクに連結され、前記船舶の前後方向及び左右方向に延びる延長管と、
前記延長管から分岐する複数の分岐管と、
前記バラストタンクから排出されるバラスト水を前記船舶の表面に等しく噴射するために前記各分岐管上に備えられる複数のノズルと、
を含むバラスト水を用いた防汚システム。
【請求項６】
前記延長管上には、バラスト水に含まれた殺菌物質の濃度を測定する濃度センサー、前記延長管を流れるバラスト水の流量を測定する流量計および前記延長管を流れるバラスト水の圧力を測定する圧力計のうちの少なくとも一つを設けることを特徴とする請求項５に記載のバラスト水を用いた防汚システム。
【請求項７】
前記各ノズルの端部が、前記船舶の表面と同一面上に位置するかあるいは船舶の表面よりも内側に位置するように、前記船舶の表面には前記ノズルを収容する収容溝が形成されることを特徴とする請求項５に記載のバラスト水を用いた防汚システム。
【請求項８】
前記ノズルは、前記収容溝に固定されており、前記収容溝と前記ノズルとの間にはバラスト水が噴射される噴射空間が形成されることを特徴とする請求項７に記載のバラスト水を用いた防汚システム。
【請求項９】
前記分岐管は、延長可能であり、前記ノズルが前記収容溝に出入りできることを特徴とする請求項７に記載のバラスト水を用いた防汚システム。
【請求項１０】
前記分岐管上には、前記複数のノズルから噴射されるバラスト水の圧力を調整する圧力調整手段が備えられることを特徴とする請求項５に記載のバラスト水を用いた防汚システム。
【請求項１１】
殺菌物質を発生させる段階と、
バラストタンクに流入されるバラスト水に前記殺菌物質を投入する段階と、
バラスト水に含まれた殺菌物質の濃度を低下させる段階と、
前記低濃度の殺菌物質が含まれたバラスト水を船体の表面に噴射する段階と、
前記発生された殺菌物質を、前記船舶で発生された汚水を膜濾過して浄水する膜濾過装置へ供給する段階と、
を含むバラスト水を用いた防汚システムの制御方法。
【請求項１２】
前記発生された殺菌物質を、前記バラストタンクに流入されるバラスト水に含まれている海洋生物を濾過する濾過装置へ供給する段階をさらに含む請求項１１に記載のバラスト水を用いた防汚システムの制御方法。
【発明の詳細な説明】
【技術分野】
【０００１】
本発明は、海洋生物が船舶の船体に付着することを防止する、バラスト水を用いた防汚システム及びその制御方法に関し、より詳細には、バラストタンクに貯蔵された海水(以下‘バラスト水’という)を用いる防汚システム及びその制御方法に関する。
【背景技術】
【０００２】
船舶の航海時に船舶の船体には、フジツボ、ほや及び貝類など様々な海洋生物が付着する。上記海洋生物が船体に付着すると、船舶の重量が増加して船舶に積むことができる貨物の量が減少する。
また、船体に付着した海洋生物は、船舶の航海時に抵抗として作用して船舶の速度を低減させ、船舶の燃料消費を増加させるだけでなく、操縦を困難にさせて船舶の性能及び効率を低下させる。
このように、海洋生物が船体表面に付着することを防止するために防汚システム（ａｎｔｉ−ｆｏｕｌｉｎｇ  ｓｙｓｔｅｍ）が登場した。
【０００３】
大韓民国公開特許第１０−２００８−００８７０９１号には、船内に次亜塩素酸ナトリウム発生装置を設置し、上記次亜塩素酸ナトリウム発生装置で生成された次亜塩素酸ナトリウム（ＮａＯＣｌ）を海洋に排出することにより、船体表面に海洋生物が付着することを防止する防汚システムの一例が開示されている。
上記防汚システムは、船内に次亜塩素酸ナトリウム発生装置を別途に設置して制御することになっている。また次亜塩素酸ナトリウム発生装置で生成された次亜塩素酸ナトリウムを貯蔵するための別途の貯蔵容器を備えなければならない。すなわち、上記防汚システムを構成するためには、次亜塩素酸ナトリウム発生装置と貯蔵容器のような別途の装置とを備えなければならないため、防汚システムを構成するのに多くの費用が必要となる。
また、上記防汚システムは、船体外部に複数の開口を有する配管部材を配置し、上記開口を介して次亜塩素酸ナトリウムのような防汚組成物が排出されるようになっている。しかし、船体外部に配置された配管部材は船舶の航海時に抵抗として作用することになり、外力が加えられる場合には、変形や損傷が発生して各開口ごとに一定量の防汚組成物を排出し難くなるという問題点があった。
【発明の概要】
【発明が解決しようとする課題】
【０００４】
本発明は、上記のような問題点を解決するためのものであって、本発明の目的は、防汚システムを構成することの費用を節減できる、バラスト水を用いた防汚システム及びその制御方法を提供することにある。
本発明の他の目的は、船舶の航海時に防汚システムが抵抗として作用しないようにする、バラスト水を用いた防汚システム及びその制御方法を提供することにある。
【課題を解決するための手段】
【０００５】
本発明によるバラスト水を用いた防汚システムは、船舶に備えられ、バラスト水（ｂａｌｌａｓｔ  ｗａｔｅｒ）を貯蔵するバラストタンクと、上記バラストタンクに流入されたバラスト水に含まれている海洋生物を殺菌するために殺菌物質を発生するバラスト水処理装置と、上記バラストタンクから排出されるバラスト水を上記船舶の船体表面に噴射する噴射装置と、を含む。
【０００６】
また、上記バラストタンクから排出されるバラスト水に含まれた殺菌物質の濃度を低下させる中和装置と、上記バラストタンクに流入されたバラスト水に含まれている海洋生物を濾過する濾過装置と、をさらに含むことができる。
また、上記バラスト水処理装置で発生された殺菌物質を上記濾過装置へ供給するための供給管をさらに含むことができる。
また、上記船舶で発生された汚水を膜濾過して浄水する膜濾過装置と、上記バラスト水処理装置で発生された殺菌物質を上記膜濾過装置へ供給するための供給管とをさらに含むことができる。
【０００７】
また、上記噴射装置は、上記バラストタンクに連結され、上記船舶の前後方向及び左右方向に延びる延長管と、上記延長管から分岐する複数の分岐管と、上記バラストタンクから排出されるバラスト水を上記船舶の表面に等しく噴射させるために、上記各分岐管上に設けられた複数のノズルとを備えることができる。
また、上記延長管上には、バラスト水に含まれた殺菌物質の濃度を測定する濃度センサー、上記延長管を流れるバラスト水の流量を測定する流量計、および上記延長管を流れるバラスト水の圧力を測定する圧力計のうちの少なくとも一つが設けられてもよい。
【０００８】
また、上記各ノズルの端部が上記船舶の表面と同一面上に位置するかあるいは船舶の表面よりも内側に位置するように、上記船舶の表面に上記ノズルを収容する収容溝が形成されることが好ましい。
また、上記ノズルは上記収容溝に固定され、上記収容溝と上記ノズルとの間にはバラスト水が噴射される噴射空間が形成されてもよい。
また、上記分岐管は延長可能であり、上記ノズルが上記収容溝に出入りすることも可能である。
そして、上記分岐管上には上記複数のノズルから噴射されるバラスト水の圧力を調整する圧力調整手段が備えられることが好ましい。
【０００９】
本発明による防汚システムの制御方法は、バラストタンクに流入されたバラスト水に上記殺菌物質を投入する段階と、バラスト水に含まれた殺菌物質の濃度を低下させる段階と、上記低濃度の殺菌物質が含まれたバラスト水を船体の表面に噴射する段階と、を含む。
また、上記発生された殺菌物質を、上記バラストタンクに流入されたバラスト水に含まれている海洋生物を濾過する濾過装置へ供給する段階をさらに含む。
また、上記発生された殺菌物質を、上記船舶で発生された汚水を膜濾過して浄水する膜濾過装置へ供給する段階をさらに含む。
【発明の効果】
【００１０】
本発明によるバラスト水を用いた防汚システムによれば、 バラスト水処理装置で発生された殺菌物質を防汚システムに用いることができるので、防汚システムを構築する費用を低減できる。また、バラスト水を用いた防汚システムに備えられたノズルを船体の外部に露出しないようにすることができるので、 バラスト水を用いた防汚システムが船舶の航海時に抵抗として作用することを防止できる。
【図面の簡単な説明】
【００１１】
【図１】本発明の一実施例に係るバラスト水を用いる防汚システムを備えた船舶に設けられる各種装置を示す図面である。
【図２】本発明の一実施例に係るバラスト水を用いた防汚システムを示す平面図である。
【図３】本発明の一実施例に係るバラスト水を用いた防汚システムのノズルを示す図面である。
【図４】本発明の一実施例に係るバラスト水を用いた防汚システムのノズルの他の例を示す図面である。
【図５】本発明の一実施例に係るバラスト水を用いた防汚システムのノズルの他の例を示す図面である。
【図６】本発明の一実施例に係るバラスト水を用いた防汚システムの制御方法を示すフローチャートである。
【発明を実施するための形態】
【００１２】
以下では、本発明の実施例を添付される図面に基づいて詳細に説明する。
図１は、本発明の一実施例に係るバラスト水を用いる防汚システムを備えた船舶に設けられる各種装置を示し、 図２は、本発明の一実施例に係るバラスト水を用いた防汚システムを示すものである。
【００１３】
図１に示すように、本発明の一実施例に係るバラスト水を用いる防汚システムを備えた船舶は、船舶の安全性及び均衡確保のために、船舶に設けられたバラストタンク１００を有する。
船舶に積まれる貨物量に合わせて船舶の均衡を維持するために、上記バラストタンク１００に一定量の海水が流入される。上記バラストタンク１００の内部に流入される海水の量は船舶の大きさに基づいて設定されるが、船舶が大型の場合は1万トン以上の海水が流入されることもある。
【００１４】
上記バラストタンク１００に海水が流入される過程で、海洋生物が海水とともにバラストタンク１００の内部に流入されることを防止するために、バラストタンク１００の内部に流入される海水に含まれている海洋生物を濾過する濾過装置１１０が備えられる。
このように、濾過装置１１０を用いてバラストタンク１００の内部に流入される海洋生物を濾過する理由は、バラストタンク１００の内部に貯蔵されたバラスト水を介して海洋生物が他地域に移動されることを防止するためである。
【００１５】
上記のバラストタンク１００の内部に貯蔵されるバラスト水とともに海洋生物が他地域に移動されて海洋に排出されると、その地域における代表生物種の変動、赤潮発生などの深刻な生態系撹乱現象を生じさせることもあるので、濾過装置１１０を設けて海洋生物がバラストタンク１００に流入されることを防止する。
上記濾過装置１１０は、所定大きさのメッシュ（ｍｅｓｈ）を有するフィルターを用いてバラストタンク１００の内部に流入される海洋生物を濾過する。しかし、上記フィルターのメッシュの大きさをプランクトンのような微小海洋生物よりも小さくすることは困難であるため、上記濾過装置１１０のみを用いて海洋生物がバラストタンク１００の内部に流入されることを防止することには限界がある。
よって、上記濾過装置１１０を用いて海洋生物を濾過する方式以外にバラストタンク１００の内部に存在する海洋生物を死滅させるためのバラスト水処理装置１２０をさらに備える。
【００１６】
上記バラスト水処理装置１２０によりバラストタンク１００の内部に貯蔵されたバラスト水に含まれている海洋生物を処理する方法として、 オゾンを用いるオゾン処理方法、過酸化水素（Ｈ２Ｏ２）のような化学薬品をバラストタンク１００に投入する化学薬品方法、及び海水が電気分解される際に発生される次亜塩素酸ナトリウムを用いる電解処理方法などを用いることができる。本実施例では、上記バラスト水処理装置１２０が電解処理方法を用いて海洋生物を処理することを例に挙げて説明する。
【００１７】
次亜塩素酸ナトリウムを用いる電解処理方法は、電気分解により海水中に含まれている塩化ナトリウム（ＮａＣｌ）を次亜塩素酸ナトリウム（ＮａＯＣｌ）に変換させて海洋生物を死滅させる方法である。次亜塩素酸ナトリウムは殺菌効果が高くて広範囲な微生物に対して殺菌効果を有する。
上記バラスト水処理装置１２０は、海水を電気分解して次亜塩素酸ナトリウムを発生させるために電気分解ユニット（図示せず）を備える。
上記バラスト水処理装置１２０は、バラストタンク１００の内部に海水が流入される流入管路１０１上に設けられ、バラストタンク１００に流入されるバラスト水を電気分解することにより、次亜塩素酸ナトリウムを発生することができる。または海水の一部が供給されて次亜塩素酸ナトリウムを発生させた後、発生された次亜塩素酸ナトリウムを流入管路１０１へ供給することもできる。
【００１８】
上記バラスト水処理装置１２０で発生された次亜塩素酸ナトリウムのような殺菌物質を濾過装置１１０へ供給することにより、濾過装置１１０を清潔に維持することができる。濾過装置１１０は、海水に含まれている各種海洋生物を濾過するが、濾過装置１１０により濾過された海洋生物が濾過装置１１０に付着された状態のまま繁殖することもある。よって、バラスト水処理装置１２０で発生された殺菌物質を濾過装置１１０へ供給することにより、濾過装置１１０内での海洋生物の繁殖を防止できる。
バラスト水処理装置１２０で発生された殺菌物質を濾過装置１１０へ供給するために、バラスト水処理装置１２０と濾過装置１１０とを連結する供給管１２１が備えられる。そして上記供給管１２１を介して供給された殺菌物質は、濾過装置１１０に入って海洋生物を死滅させ、その後、濾過装置１１０の排出管１１１を介して排出される。
【００１９】
本発明の一実施例に係るバラスト水を用いる防汚システムを備えた船舶は、船舶で発生した糞尿を始めとする各種生活汚水を生物化学的方式で処理する汚水処理装置１３０を備えることができる。
上記汚水処理装置１３０により処理された水は、膜濾過装置１３１を経ながら浄水された後に、食器などを洗浄する際に使用される洗浄用水、トイレを使用する際に使用されるトイレ用水、掃除する際に使用される掃除用水などとして用いられる。
上記膜濾過装置１３１は、汚水処理装置１３０により生物化学的方式で１次処理された水を膜濾過により２次処理することにより、浄水される。このとき、バラスト水処理装置１２０で発生された次亜塩素酸ナトリウムのような殺菌物質を膜濾過装置１３１へ供給することにより、膜濾過装置１３１に備えられた膜の表面を清潔に維持することができる。また、殺菌物質で膜濾過装置１３１内の浄水された水を殺菌することにより、細菌や微生物の繁殖を抑制することができる。
【００２０】
バラスト水処理装置１２０で発生された殺菌物質を膜濾過装置１３１へ供給するために、バラスト水処理装置１２０と膜濾過装置１３１とを連結する供給管１２２が備えられる。
一方、上記バラスト水処理装置１２０で発生された次亜塩素酸ナトリウムのような殺菌物質は海水とともにバラストタンク１００の内部に流入されて、バラストタンク１００の内部に存在する海洋生物を死滅させる。上記バラストタンク１００の内部に存在する海洋生物を死滅させるために、上記バラストタンク１００の内部の次亜塩素酸ナトリウムの濃度を５乃至１０ｐｐｍ内外に維持することが好ましい。
【００２１】
上記バラストタンク１００の内部に貯蔵された殺菌物質の混入されているバラスト水を海洋にそのまま排出すると、バラスト水が排出された海域の海洋生物が死滅されることもある。よって、バラストタンク１００の内部に貯蔵されていたバラスト水を海洋に排出する前に、バラスト水に含まれた殺菌物質の濃度を低下させるための中和装置１４０が備えられる。
上記中和装置１４０は、バラストタンク１００から排出されるバラスト水に含まれた次亜塩素酸ナトリウムのような殺菌物質の濃度を０．５ｐｐｍ以下に維持することが好ましい。
そして、フジツボ、ほや及び貝類などの海洋生物が船体に付着することを防止するための防汚システムを構築するために、上記バラストタンク１００から排出されるバラスト水を使用する。
【００２２】
このように本発明の一実施例は、バラストタンク１００から排出されるバラスト水を防汚システムに使用するために、上記バラストタンク１００から排出されるバラスト水を船体の表面に噴射する噴射装置１５０を備える。
以下では、図２を参照して本発明の一実施例に係るバラスト水を用いた防汚システムのバラストタンク１００及び噴射装置１５０についてより詳細に説明する。
【００２３】
海水を取水してバラスト水をバラストタンク１００に満たすときには、バラストポンプ１０５を用いて取水部１０２から海水を吸いこんで流入管路１０１を介して各バラストタンク１００に送る。 このとき、船舶に積まれる貨物量に合わせて船舶の均衡を取るために、各バラストタンク１００の内部には相互異なる量のバラスト水が満たされることが可能である。
上記流入管路１０１上には上述した濾過装置１１０及びバラスト水処理装置１２０ などが設けられる。そして上記濾過装置１１０及びバラスト水処理装置１２０が設けられた流入管路１０１を迂回するバイパス管路１０３が備えられる。上述した中和装置１４０は、上記バイパス管路１０３を流れるバラスト水に含まれた殺菌物質の濃度を低下させることができる。
上記流入管路１０１とバイパス管路１０３とが互いに交差する部分には流路転換バルブ１０４が設けられる。上記流路転換バルブ１０４は、バラスト水がバラストタンク１００に流入される場合は、濾過装置１１０及びバラスト水処理装置１２０の設けられた流入管路１０１を介して流入されるようにし、バラスト水がバラストタンク１００から排出される場合は、バイパス管路１０３を介して排出されるように流路を変更する。
【００２４】
よって、海水がバラストタンク１００へ流入されるときには、濾過装置１１０及びバラスト水処理装置１２０により海水に含まれていた海洋生物が濾過されると同時に次亜塩素酸ナトリウムのような殺菌物質がバラストタンク１００の内部に流入されることになり、バラストタンク１００からバラスト水が排出されるときには、中和装置１４０により殺菌物質の濃度が低くなる。
そして、上記流入管路１０１から各バラストタンク１００に分岐する分岐管１０６には、各バラストタンク１００に流入されるバラスト水の量を調整できる開閉バルブ１０７が設けられる。
【００２５】
バラストタンク１００から排出されるバラスト水を防汚システムで使用するための噴射装置１５０は、上記バラストタンク１００に連結され、上記船舶の前後方向及び左右方向にそれぞれ延びる延長管１５１と、上記バラスト水を上記船舶の表面に等しく噴射するために上記延長管１５１に連結された複数のノズル１５２と、を含む。
【００２６】
図２は、船体の側部に設けられたノズル１５２のみ示されているが、上記複数のノズル１５２は船体の喫水線(船舶が水に浮かんでいるとき、水に浸る部分)下の表面、 具体的に、船体の下部と側部とにバラスト水を噴射するように設けられる。
バラストポンプ１０５の吸入力により吸入されるバラスト水の移動経路を転換するために、流入管１０１には第１流路転換バルブ１０８が設けられ、延長管１５１には第２流路転換バルブ１０９が設けられる。
【００２７】
バラストタンク１００の内部に海水を流入させる場合は、第１流路転換バルブ１０８を開放し、第２流路転換バルブ１０９を閉鎖した後、バラスト水がバラストタンク１００に流入される方向にバラストポンプ１０５を回転させる。そして、バラストタンク１００に貯蔵されていたバラスト水を噴射装置１５０へ供給する場合は、第１流路転換バルブ１０８を閉鎖し、第２流路転換バルブ１０９を開放した後、バラスト水がバラストタンク１００から排出される方向にバラストポンプ１０５を回転させる。
【００２８】
上記延長管１５１上にはバラスト水に含まれた殺菌物質の濃度を測定するための濃度センサー１６１と、上記延長管１５１を流れるバラスト水の流量を測定する流量計１６２と、上記延長管１５１を流れるバラスト水の圧力を測定する圧力計１６３が設けられる。
上記延長管１５１上に濃度センサー１６１を設けて、上記延長管１５１を流れるバラスト水に含まれた殺菌物質の濃度を測定することにより、バラスト水に含まれた殺菌物質の濃度が０．５ｐｐｍ以下の場合にのみ上記延長管１５１を介してバラスト水が排出されるようにすることができる。
【００２９】
バラストタンク１００から排出されるバラスト水を複数のノズル１５２を介して噴射するとき、複数のノズル１５２のうちの一部ノズルを介してのみバラスト水が噴射されるようにすることができる。例えば、先ず船舶の船首から奇数番目のバラストタンク１００に対応する位置に設けられたノズルを介してバラスト水を先に噴射し、その後、船舶の船首から偶数番目のバラストタンク１００に対応する位置に設けられたノズルを介してバラスト水を噴射することができる。
【００３０】
このように複数のノズル１５２のうち一部ノズルを介してバラスト水を噴射する場合、過度な量のバラスト水がノズル１５２側へ供給されると、ノズル１５２に過負荷がかかることもある。上記流量計１６２及び圧力計１６３は、延長管１５１を流れるバラスト水の流量と圧力をチェックすることにより、あまりにも多い量のバラスト水がノズル１５２側へ供給されることを防止できる。
【００３１】
船舶に設けられたすべてのノズル１５２を介してバラスト水を噴射する場合、バラストポンプ１０５から近い位置に設けられたノズル１５２には強い水圧がかかる一方、バラストポンプ１０５から遠い位置に設けられたノズル１５２には弱い水圧がかかることになる。
この場合、各ノズル１５２を介して噴射されるバラスト水の圧力が一定になるように、延長管１５１から分岐する分岐管１５３上にはノズル１５２から噴射されるバラスト水の圧力を調整する圧力調整手段１５５が設けられる。上記圧力調整手段１５５としては、バラスト水の圧力を高めるための昇圧装置またはバラスト水の圧力を低下させるための減圧バルブなどが使用可能である。
【００３２】
図３は、本発明の一実施例に係るバラスト水を用いた防汚システムのノズル１５２が船体の表面に設けられた状態を示している。
図３に示すように、各ノズル１５２を船体に設けるとき、各ノズル１５２の端部は船体の表面と同一面上に位置するかあるいは船体の表面よりも内側に位置することが好ましい。このように各ノズル１５２の端部が船体の表面と同一面上あるいは船体の表面よりも内側に位置するように、船体の表面にはノズル１５２を収容する収容溝１７０が形成される。
【００３３】
上記収容溝１７０は略台形状を有し、上記ノズル１５２の両端には切開部１５２ａが形成される。そして、上記ノズル１５２は収容溝１７０に固定される。上記収容溝１７０と上記ノズル１５２との間には噴射空間１７１が形成され、上記噴射空間１７１を介してバラスト水を噴射することができる。
このように、ノズル１５２を収容溝１７０に設けてノズル１５２が船体の表面から外側に突出しないようにすることにより、船舶の航海時にノズル１５２が抵抗として作用しないようにできる。
【００３４】
図４及び図５は、本発明の一実施例に係るバラスト水を用いる防汚システムに適用可能なノズルの他の例を示すものである。
ここで、図３に基づいて説明した内容と異なる点は、ノズル１５２が、船体の表面に形成された収容溝１７０に出入りできるように設置されるということである。このために、ノズル１５２が収容溝１７０に出入りできるように分岐管１５３を移動させる装置(図示せず)が備えられてもよい。そして、 分岐管１５３は延長可能に形成される。
【００３５】
船舶の航海時には、図４のように上記ノズル１５２が収容溝１７０の内部に収容されるようにし、バラストタンク１００からバラスト水が排出されるときには、図５のように、上記ノズル１５２が収容溝１７０から突出するようにできる。よって、船舶の航海時にはノズル１５２が抵抗として作用することを防止でき、バラスト水を噴射するときにはバラスト水が効果的に船体の表面に噴射されるようにすることができる。
【００３６】
図６は、本発明の一実施例に係るバラスト水を用いた防汚システムの制御方法を示すフローチャートである。
先ず、バラスト水処理装置１２０で次亜塩素酸ナトリウムのような殺菌物質を発生させる（Ｓ１１０）。上記次亜塩素酸ナトリウムは、海水を電気分解するなどのような方法により発生させることができる。
【００３７】
バラスト水処理装置１２０で発生された殺菌物質をバラストタンク１００の内部に投入してバラストタンク１００の内部の海洋生物を死滅させる（Ｓ１２０）。
そして、バラスト水処理装置１２０で発生された殺菌物質を濾過装置１１０へ供給して、濾過装置１１０で濾過された海洋生物を死滅させたり（Ｓ１３０）、バラスト処理装置１２０で発生された殺菌物質を膜濾過装置１３１へ供給して（Ｓ１４０）膜濾過装置１３１に備えられた膜の表面を清潔に維持させ、膜濾過装置１３１内の浄水された水を殺菌して細菌や微生物の繁殖を抑制する。
【００３８】
バラストタンク１００内部に貯蔵されていたバラスト水は海洋に排出されるので、 バラスト水が海洋に排出される前にバラスト水に含まれた殺菌物質の濃度を低下させる（Ｓ１５０）。
そして、低濃度の殺菌物質が含まれたバラスト水を船体の表面へ噴射すること（Ｓ１６０）により、船体の表面にフジツボ、ほや及び貝類などの海洋生物が付着することを防止する。
【００３９】
以上で説明したように、バラスト水処理装置１２０で発生された殺菌物質を防汚システムに用いることができるので、防汚システムを構築する費用を低減できる。また、防汚システムを構成するノズル１５２が船体の外部に露出しないようにすることで防汚システムが船舶の航海時に抵抗として作用することを防止できる。
【００４０】
以上で、本発明の実施例に係るバラスト水を用いた防汚システム及びその制御方法について説明したが、本発明の思想は本明細書に提示された実施例に制限されず、本発明の思想を理解する当業者は同じ思想の範囲内で、構成要素の付加、変更、削除、追加などにより他の実施例を容易に提案することができ、これも本発明の思想範囲内に属するといえる。
【図１】
0005292474.tif 000002
【図２】
0005292474.tif 000003
【図３】
0005292474.tif 000004
【図４】
0005292474.tif 000005
【図５】
0005292474.tif 000006
【図６】
0005292474.tif 000007